(57)【要約】【課題】波長５８０ｎｍ付近での発光強度が比較的小さい光を出射する発光装置を提供する。【解決手段】ピーク波長が４８６ｎｍである光を発する青色ＬＥＤチップ（２）と、ピーク波長が６３６ｎｍである光を発する赤色ＬＥＤチップ（３）とを備えた発光装置（１）であって、青色ＬＥＤチップ（２）および赤色ＬＥＤチップ（３）の各々から発せられた光は、何れも波長変換されることなく混合されて外部に出射される。【選択図】図１
2015198119.tif 000002
【特許請求の範囲】
【請求項１】
第１の波長においての発光強度が最大である光を発する第１発光素子と、上記第１の波長とは異なる第２の波長においての発光強度が最大である光を発する第２発光素子とを備えた発光装置であって、
上記第１の波長は４８５ｎｍ〜５００ｎｍの範囲の何れかの値であり、
上記第２の波長は６３０ｎｍ〜６６０ｎｍの範囲の何れかの値であり、
上記第１発光素子および上記第２発光素子の各々から発せられた光は、何れも波長変換されることなく混合されて外部に出射されることを特徴とする発光装置。
【請求項２】
上記第２発光素子から発された光の発光スペクトルの半値全幅が３０ｎｍ以下であることを特徴とする請求項１に記載の発光装置。
【請求項３】
上記第１発光素子からの出射光の放射束を１とした場合、上記第２発光素子からの出射光の放射束は０．５〜０．９であることを特徴とする請求項１または２に記載の発光装置。
【請求項４】
上記第１発光素子と上記第２発光素子とは、可視光を透過させる樹脂で封止されていることを特徴とする請求項１から３の何れか１項に記載の発光装置。
【請求項５】
凹部を含む一面を有するリードフレームを備えており、
上記第１発光素子と上記第２発光素子とは、上記凹部を含む一面に備えられていることを特徴とする請求項１から４の何れか１項に記載の発光装置。
【発明の詳細な説明】
【技術分野】
【０００１】
本発明は、発光素子として発光ダイオード（Light Emitting Diode；以後ＬＥＤと称する）を備えた発光装置および発光装置を備えた照明器具に関する。
【背景技術】
【０００２】
ＬＥＤを備えた発光装置は、近年の効率向上に伴い、電球あるいは蛍光灯よりも省エネルギーの光源として、照明器具に広く用いられるようになってきている。
【０００３】
例えば、特許文献１には、発光強度が最大であるピーク波長が４３０ｎｍ〜５００ｎｍである青色ＬＥＤと、発光強度が最大であるピーク波長が６３０ｎｍ〜６４５ｎｍである赤色ＬＥＤと、これらのＬＥＤから発せられた光で励起され、かつ、発光強度が最大であるピーク波長が５１０ｎｍ〜５３０ｎｍである緑色蛍光体と、を備え、白色光を出射する発光装置について記載されている。
【０００４】
また、特許文献２には、短波長領域の光を発する短波長ＬＥＤ（青色ＬＥＤや青紫色ＬＥＤや紫外光を発するＬＥＤ）と、赤色ＬＥＤと、少なくとも２種類以上の蛍光体と、を備え、幅広い相関色温度の発光色が得られる発光装置について記載されている。
【０００５】
さらに、特許文献３には、３つ、または４つの異なる色合いを発する固体発光素子および/またはルミネッセント材料からなる複数の可視光源を備えた照明装置（発光装置）について記載されている。すなわち、上記照明装置（発光装置）は、ルミネッセント材料を備えた可視光源を一つ以上有する構成となっている。
【０００６】
特許文献１〜３に記載の発光装置および照明装置によれば、効率が高く、省エネルギー型の発光装置および照明装置を実現できる。
【先行技術文献】
【特許文献】
【０００７】
【特許文献１】特開２０１２−６４８８８号公報（２０１２年３月２９日公開）
【特許文献２】特開２０１０−１４７３０６号公報（２０１０年７月１日公開）
【特許文献３】特表２００９−５２１８０６号公報（２００９年６月４日公表）
【発明の概要】
【発明が解決しようとする課題】
【０００８】
図５は、従来の発光装置から出射される光の波長スペクトルを示す図である。
【０００９】
図５は、発光強度が最大であるピーク波長が４４７ｎｍ（または４４８ｎｍ）である青色ＬＥＤと、赤蛍光体（ＣａＡｌＳｉＮ３：Ｅｕ）と、緑蛍光体（Ｌｕ３Ａｌ５Ｏ１２：Ｃｅ）と、を備えた発光装置から出射される光の波長スペクトルである。
【００１０】
波長５８０ｎｍ付近（例えば、波長５８０ｎｍ〜６００ｎｍ）での発光強度が比較的大きい光が照射されると、その照射された物は黄色を帯びているように見えてしまう。
【００１１】
図５に図示されているように、従来の発光装置は、波長５８０ｎｍ付近での発光強度が比較的大きい光を出射するので、その照射された物は黄色を帯びているように見えてしまうという問題がある。
【００１２】
上述した特許文献１に記載の発光装置においては、発光強度が最大であるピーク波長が５１０ｎｍ〜５３０ｎｍである緑色蛍光体が備えられているため、上述した特許文献２に記載の発光装置においては、少なくとも２種類以上の蛍光体が備えられているため、上述した特許文献３に記載の照明装置においては、ルミネッセント材料を備えた可視光源を一つ以上有する構成であるため、波長５８０ｎｍ付近での発光強度が比較的大きい光が出射され、上記同様に、その照射された物は黄色を帯びているように見えてしまうという問題がある。
【００１３】
そこで、光の波長スペクトルを制御する技術により、波長５８０ｎｍ付近での発光強度を調整（弱く）し、食品を新鮮でおいしそうに見せる光を出射する発光装置が提案されている。
【００１４】
図６は、波長５８０ｎｍ付近（例えば、波長５８０ｎｍ〜６００ｎｍ）での発光強度が強い光を、光の波長スペクトルを制御する技術（彩色光ＬＥＤを用いる技術）により、波長５８０ｎｍ付近での発光強度を弱くした従来の発光装置から出射される光の波長スペクトルを示す図である。
【００１５】
この従来の発光装置は、図示されているように、波長５８０ｎｍ付近での発光強度を弱くすることにより、黄みをある程度抑え、食品をある程度鮮やかに見せることができ、さらに、赤色成分のピーク波長を長波長側にシフトさせることにより、肉やマグロなど赤みの強い色をより鮮やかにできる。
【００１６】
しかしながら、図６に図示されているように、この従来の発光装置から出射される光は、赤色成分のピーク波長での発光強度を１とした場合、波長５８０ｎｍ付近での発光強度が略０．４と、依然として強く、黄みを満足できる程に抑えることはできず、食品を満足できる程に鮮やかに見せることができないという問題がある。
【００１７】
本発明は、上記従来の問題点に鑑みなされたものであって、その目的は、波長５８０ｎｍ付近での発光強度が比較的小さい光を出射する発光装置を提供することにある。
【課題を解決するための手段】
【００１８】
本発明の発光装置は、上記課題を解決するために、第１の波長においての発光強度が最大である光を発する第１発光素子と、上記第１の波長とは異なる第２の波長においての発光強度が最大である光を発する第２発光素子とを備えた発光装置であって、上記第１の波長は４８５ｎｍ〜５００ｎｍの範囲の何れかの値であり、上記第２の波長は６３０ｎｍ〜６６０ｎｍの範囲の何れかの値であり、上記第１発光素子および上記第２発光素子の各々から発せられた光は、何れも波長変換されることなく混合されて外部に出射されることを特徴としている。
【００１９】
上記構成によれば、波長が４８５ｎｍ〜５００ｎｍの範囲の何れかの値で発光強度が最大である光を発する第１発光素子と、波長が６３０ｎｍ〜６６０ｎｍの範囲の何れかの値で発光強度が最大である光を発する第２発光素子と、を備えており、上記第１発光素子および上記第２発光素子の各々から発せられた光は、何れも波長変換されることなく混合されて外部に出射されるようになっている。
【００２０】
波長が４８５ｎｍ〜５００ｎｍの範囲の何れかの値で発光強度が最大である光は、波長５８０ｎｍ付近（例えば、波長５８０ｎｍ〜６００ｎｍ）での発光強度が比較的小さい光となる。
【００２１】
また、波長が６３０ｎｍ〜６６０ｎｍの範囲の何れかの値で発光強度が最大である光も、波長５８０ｎｍ付近（例えば、波長５８０ｎｍ〜６００ｎｍ）での発光強度が比較的小さい光となる。
【００２２】
そして、上記発光装置においては、上記第１発光素子および上記第２発光素子の各々から発せられた光は、何れも波長変換されることなく混合されて外部に出射されるようになっているので、外部に出射される光は波長５８０ｎｍ付近（例えば、波長５８０ｎｍ〜６００ｎｍ）での発光強度が比較的小さい光となる。
【００２３】
したがって、波長５８０ｎｍ付近（例えば、波長５８０ｎｍ〜６００ｎｍ）での発光強度が比較的小さい光を出射する発光装置を実現でき、黄みを抑え、食品を鮮やかに見せることができる。
【００２４】
さらには、上記発光装置は、波長が６３０ｎｍ〜６６０ｎｍの範囲の何れかの値で発光強度が最大である光を発する第２発光素子を備えているので、肉やマグロなど赤みの強い色をより鮮やかにできる。
【発明の効果】
【００２５】
本発明の発光装置は、波長５８０ｎｍ付近（例えば、波長５８０ｎｍ〜６００ｎｍ）での発光強度が比較的小さい光を出射し、黄みを抑え、食品を鮮やかに見せることができるとともに、肉やマグロなど赤みの強い色をより鮮やかにできる。
【図面の簡単な説明】
【００２６】
【図１】実施の形態１の発光装置の概略構成を示す図である。
【図２】実施の形態１の発光装置から出射される光の波長スペクトルを示す図である。
【図３】実施の形態２の発光装置の概略構成を示す図である。
【図４】実施の形態３の発光装置の概略構成を示す図である。
【図５】従来の発光装置から出射される光の波長スペクトルを示す図である。
【図６】波長５８０ｎｍ付近での発光強度が強い光を、光の波長スペクトルを制御する技術により、波長５８０ｎｍ付近での発光強度を弱くした従来の発光装置から出射される光の波長スペクトルを示す図である。
【発明を実施するための形態】
【００２７】
以下の各実施の形態で説明する発光装置は、例えば、照明器具として好適に用いることができる。なお、照明器具は、このような発光装置を１つ以上備えている。
【００２８】
〔実施の形態１〕
本発明の一実施形態について図１および図２に基づいて説明すれば、以下の通りである。
【００２９】
図１は、発光装置１の概略構成を示す図であって、図１（ａ）は発光装置１の平面図であり、図１（ｂ）は発光装置１の側面図である。
【００３０】
図示されているように、発光装置１には、青色ＬＥＤチップ２（第１発光素子）と、赤色ＬＥＤチップ３（第２発光素子）と、ツェナーダイオード（ＺＤ）４と、ワイヤ５と、リフレクター６と、端子部を含むリードフレーム７ａと、凹部を含む一面を有するリードフレーム７ｂと、端子部を含むリードフレーム７ｃと、拡散剤を含む封止樹脂８と、が備えられている。
（青色ＬＥＤチップ２）
本実施の形態においては、青色ＬＥＤチップ２として、波長４８６ｎｍで発光強度が最大である光、すなわち、ピーク波長が４８６ｎｍである光を発する発光素子を用いたが、これに限定されることはなく、青色ＬＥＤチップ２としては、波長４８５ｎｍ〜５００ｎｍの範囲の何れかの値で発光強度が最大である光すなわち、ピーク波長が４８５ｎｍ〜５００ｎｍの範囲の何れかの値である光を発する発光素子を用いることができる。具体的には、本実施の形態においては、ＩｎＧａＮ系の発光素子を所定の駆動電流で駆動させることにより、上記条件を満たすようにしているが、用いることが可能な発光素子の種類はこれに限定されることはない。
（赤色ＬＥＤチップ３）
本実施の形態においては、赤色ＬＥＤチップ３として、波長６３６ｎｍで発光強度が最大である光、すなわち、ピーク波長が６３６ｎｍである光を発する発光素子を用いたが、これに限定されることはなく、赤色ＬＥＤチップ３としては、波長６３０ｎｍ〜６６０ｎｍの範囲の何れかの値で発光強度が最大である光すなわち、ピーク波長が６３０ｎｍ〜６６０ｎｍの範囲の何れかの値である光を発する発光素子を用いることができる。具体的には、本実施の形態においては、ＡｌＧａＡｓ系、ＧａＡｓＰ系およびＧａＡｌＩｎＰ系の何れかの発光素子を所定の駆動電流で駆動させることにより、上記条件を満たすようにしているが、用いることが可能な発光素子の種類はこれに限定されることはない。
（ツェナーダイオード（ＺＤ）４）
本実施の形態においては、青色ＬＥＤチップ２と赤色ＬＥＤチップ３とを静電気放電（Electrostatic discharge）によって故障するのを防止するため、青色ＬＥＤチップ２と赤色ＬＥＤチップ３とに対し、ツェナーダイオード（ＺＤ）４を逆並列に配した。発光素子として、逆耐圧が小さいＬＥＤを用いる場合には、ツェナーダイオード（ＺＤ）４を設けることが好ましい。
（ＬＥＤチップとリードフレームとの接続）
本実施の形態においては、図１（ａ）および図１（ｂ）に図示されているように、青色ＬＥＤチップ２と赤色ＬＥＤチップ３とは、凹部を含む一面を有するリードフレーム７ｂにおける凹部内の表面に、例えば、シリコーン系の樹脂によってダイボンドされている。
【００３１】
なお、本実施の形態においては、青色ＬＥＤチップ２から発せられる光と赤色ＬＥＤチップ３から発せられる光との混色性を良くするため、凹部を含む一面を有するリードフレーム７ｂにおける凹部内の表面に、青色ＬＥＤチップ２と赤色ＬＥＤチップ３とを設けたが、リードフレームの形状は特に限定されることはなく、凹部を有さない平面状のリードフレームなどを用いてもよい。
【００３２】
また、青色ＬＥＤチップ２と赤色ＬＥＤチップ３とは、凹部を含む一面を有するリードフレーム７ｂにおける凹部内において、青色ＬＥＤチップ２から発された青色光が赤色ＬＥＤチップ３に吸収されるのを抑えることを考慮し、所定距離以上離すことが好ましい。
【００３３】
そして、図１（ａ）および図１（ｂ）に図示されているように、青色ＬＥＤチップ２の一方の端子（例えば負極端子）と端子部を含むリードフレーム７ａとは、ワイヤ５によってワイヤボンドされ電気的に接続される。一方、青色ＬＥＤチップ２の他方の端子（例えば正極端子）と赤色ＬＥＤチップ３の一方の端子（例えば負極端子）とは、ワイヤ５によってワイヤボンドされ電気的に接続される。それから、赤色ＬＥＤチップ３の他方の端子（例えば正極端子）と端子部を含むリードフレーム７ｃとは、ワイヤ５によってワイヤボンドされ電気的に接続される。
【００３４】
すなわち、青色ＬＥＤチップ２と赤色ＬＥＤチップ３とは直列接続されており、両端子部７ａ・７ｃから供給される一つの駆動電流で青色ＬＥＤチップ２と赤色ＬＥＤチップ３とを制御できるというメリットを有する。
【００３５】
ツェナーダイオード（ＺＤ）４は、端子部を含むリードフレーム７ａの表面に、例えば、シリコーン系の樹脂によってダイボンドされている。そして、ツェナーダイオード（ＺＤ）４と凹部を含む一面を有するリードフレーム７ｂとはワイヤ５によってワイヤボンドされ電気的に接続されており、凹部を含む一面を有するリードフレーム７ｂと端子部を含むリードフレーム７ｃともワイヤ５によってワイヤボンドされ電気的に接続されている。
【００３６】
なお、端子部を含むリードフレーム７ａと、凹部を含む一面を有するリードフレーム７ｂと、端子部を含むリードフレーム７ｃとは、何れも金属材料からなる。
（リフレクター６）
リフレクター６は、青色ＬＥＤチップ２からの出射光と赤色ＬＥＤチップ３からの出射光とを、反射し、外部に出射させるためのものである。
【００３７】
本実施の形態においては、リフレクター６は、パッケージ樹脂と反射面とからなり、上記パッケージ樹脂には凹部が形成されており、この凹部の表面が反射面となっている。
【００３８】
なお、反射面は高反射率のＡｇまたはＡｌを含む金属膜や有色樹脂（例えば、白色シリコーン）で形成されることが好ましい。
（可視光を透過させる封止樹脂８）
本実施の形態においては、青色ＬＥＤチップ２からの出射光と赤色ＬＥＤチップ３からの出射光との混色性を良くするため、拡散剤を含む封止樹脂８を用いて青色ＬＥＤチップ２と赤色ＬＥＤチップ３とを封止しているが、これに限定されることはなく、封止樹脂８に拡散剤を含めなくてもよく、必要に応じて、封止樹脂８には拡散剤の他に増粘材を含ませてもよい。
【００３９】
発光装置１、特に、封止樹脂８には、青色ＬＥＤチップ２および赤色ＬＥＤチップ３の各々から発せられた光が、波長変換される部材である蛍光体などは含まれてない。
【００４０】
すなわち、発光装置１、特に、封止樹脂８には、黄から緑の蛍光体や半値全幅の広い赤の蛍光体が含まれてない。
【００４１】
したがって、発光装置１においては、青色ＬＥＤチップ２および赤色ＬＥＤチップ３の各々から発せられた光は、何れも波長変換されることなく混合され、白色光として外部に出射されるようになっている。
【００４２】
発光装置１は、波長が４８５ｎｍ〜５００ｎｍの範囲の何れかの値で発光強度が最大である光を発する青色ＬＥＤチップ２と、波長が６３０ｎｍ〜６６０ｎｍの範囲の何れかの値で発光強度が最大である光を発する赤色ＬＥＤチップ３と、を備えており、青色ＬＥＤチップ２および赤色ＬＥＤチップ３の各々から発せられた光は、何れも波長変換されることなく混合されて外部に出射されるようになっている。
【００４３】
波長が４８５ｎｍ〜５００ｎｍの範囲の何れかの値で発光強度が最大である光は、波長５８０ｎｍ付近（例えば、波長５８０ｎｍ〜６００ｎｍ）での発光強度が比較的小さい光となる。
【００４４】
また、波長が６３０ｎｍ〜６６０ｎｍの範囲の何れかの値で発光強度が最大である光も、波長５８０ｎｍ付近（例えば、波長５８０ｎｍ〜６００ｎｍ）での発光強度が比較的小さい光となる。
【００４５】
そして、発光装置１においては、青色ＬＥＤチップ２および赤色ＬＥＤチップ３の各々から発せられた光は、何れも波長変換されることなく混合されて外部に出射されるようになっているので、外部に出射される光は波長５８０ｎｍ付近（例えば、波長５８０ｎｍ〜６００ｎｍ）での発光強度が比較的小さい光となる。
【００４６】
したがって、波長５８０ｎｍ付近（例えば、波長５８０ｎｍ〜６００ｎｍ）での発光強度が比較的小さい光を出射する発光装置１を実現でき、黄みを抑え、食品を鮮やかに見せることができる。
【００４７】
さらには、発光装置１は、波長が６３０ｎｍ〜６６０ｎｍの範囲の何れかの値で発光強度が最大である光を発する赤色ＬＥＤチップ３を備えているので、肉やマグロなど赤みの強い色をより鮮やかにできる。
（発光装置１から出射される光の波長スペクトル）
図２は、発光装置１から出射される光の波長スペクトルを示す図である。
【００４８】
図示されているように、本実施の形態においては、波長６３６ｎｍで発光強度が最大である光を発する赤色ＬＥＤチップ３を用いているが、肉やマグロなど赤みの強い色をより鮮やかにするためには、赤色ＬＥＤチップ３からの出射光は、波長スペクトル上での半値全幅（Full Width at Half Maximum）が３０ｎｍ以下であることが好ましい。
【００４９】
赤色ＬＥＤチップ３からの出射光の波長スペクトルの半値全幅（FWHM）が３０ｎｍ以下の場合には、波長６３６ｎｍでの発光強度を１とした場合、波長５８０ｎｍ付近（例えば、波長５８０ｎｍ〜６００ｎｍ）の発光強度を０．１以下に小さく抑えられ、肉などの赤みをより鮮やかにできる。
【００５０】
一方、赤色ＬＥＤチップ３からの出射光の波長スペクトルの半値全幅（FWHM）が３０ｎｍより大きい場合には、波長５８０ｎｍ付近（例えば、波長５８０ｎｍ〜６００ｎｍ）の発光スペクトル成分が増えるため、肉などの赤みの鮮やかさが低下する。
【００５１】
なお、本実施の形態においては、赤色ＬＥＤチップ３として、ＡｌＧａＡｓ系、ＧａＡｓＰ系およびＧａＡｌＩｎＰ系の何れかの発光素子を所定の駆動電流で駆動させることにより、赤色ＬＥＤチップ３からの出射光の波長スペクトルの半値全幅（FWHM）を３０ｎｍ以下としている。
【００５２】
さらに、本実施の形態のように、青色ＬＥＤチップ２および赤色ＬＥＤチップ３が一つの駆動電流で駆動される場合には、青色ＬＥＤチップ２からの出射光と赤色ＬＥＤチップ３からの出射光とを、以下のように調整することが好ましい。
【００５３】
以下で説明する放射束とは、単位時間内にある面を通過する放射エネルギーを意味し、単位はワット（Ｗ）で表すことができる物理量である。
【００５４】
青色ＬＥＤチップ２からの出射光全てが、単位時間内にある面を通過すると仮定すると、青色ＬＥＤチップ２からの出射光の放射束は、図２に図示した青色ＬＥＤチップ２から出射される光の波長スペクトルにおいて、各波長値（WAVELENGTH）と各波長値における発光強度（INTENSITY）とから求めることができる。
【００５５】
また、赤色ＬＥＤチップ３からの出射光全てが、単位時間内にある面を通過すると仮定すると、赤色ＬＥＤチップ３からの出射光の放射束は、図２に図示した赤色ＬＥＤチップ３から出射される光の波長スペクトルにおいて、各波長値（WAVELENGTH）と各波長値における発光強度（INTENSITY）とから求めることができる。
【００５６】
なお、図２に図示した青色ＬＥＤチップ２および赤色ＬＥＤチップ３から出射される光の波長スペクトルにおける縦軸は発光強度を示しており、相対的な数値を比較する目的のため、任意の単位で表記しているが、絶対的な数値として、発光強度が積分球で測定した分光放射束（Ｗ/ｎｍ）である場合、波長に対して積分した値が放射束となる。この場合の放射束の比は、図２の青色ＬＥＤチップ２の出射光からの波長スペクトルの面積と赤色ＬＥＤチップ３の出射光からの波長スペクトルの面積との比（波長積分した数値の比）となる。
【００５７】
肉などの赤みが不自然な赤となることや肉などの赤みが鮮やかに見えなくなるのを防止するためには、青色ＬＥＤチップ２からの出射光と赤色ＬＥＤチップ３からの出射光とは、青色ＬＥＤチップ２からの出射光の放射束を１とした場合、赤色ＬＥＤチップ３からの出射光の放射束が０．５〜０．９であることが好ましく、本実施の形態においては、図２に図示されているように、発光ピーク強度は、青色ＬＥＤチップ２よりも赤色ＬＥＤチップ３の方が大きいが、波長４８６ｎｍに発光ピーク強度を有する青色ＬＥＤチップ２からの出射光の放射束を１とした場合、波長６３６ｎｍに発光ピーク強度を有する赤色ＬＥＤチップ３からの出射光の放射束が０．７となるようにＬＥＤチップの組合せを行っている。
【００５８】
すなわち、本実施の形態においては、青色ＬＥＤチップ２と赤色ＬＥＤチップ３とは直列に接続されているため、青色ＬＥＤチップ２および赤色ＬＥＤチップ３の選定の時点で、青色ＬＥＤチップ２からの出射光の放射束と赤色ＬＥＤチップ３からの出射光の放射束との比が１：０．５〜０．９の範囲になるように、青色ＬＥＤチップ２と赤色ＬＥＤチップ３とを組合せており、具体的には、青色ＬＥＤチップ２からの出射光の放射束と赤色ＬＥＤチップ３からの出射光の放射束との比が１：０．７となるようにＬＥＤチップの組合せを行っている。
【００５９】
波長４８６ｎｍに発光ピーク強度を有する青色ＬＥＤチップ２からの出射光の放射束を１とした場合において、波長６３６ｎｍに発光ピーク強度を有する赤色ＬＥＤチップ３からの出射光の放射束が０．９より大きくなると、混合色が白と感じるよりも赤みが強いと感じられ、肉などの赤みが不自然な赤となってしまう。
【００６０】
一方、波長４８６ｎｍに発光ピーク強度を有する青色ＬＥＤチップ２からの出射光の放射束を１とした場合において、波長６３６ｎｍに発光ピーク強度を有する赤色ＬＥＤチップ３からの出射光の放射束が０．５未満になると、混合色が白と感じるよりも青みが強いと感じられ、肉などの赤みが鮮やかに見えない。
【００６１】
〔実施の形態２〕
次に、図３に基づいて、本発明の実施の形態２について説明する。本実施の形態の発光装置１０においては、青色ＬＥＤチップ１２から発された青色光が赤色ＬＥＤチップ１３に吸収されるのを抑えるために、赤色ＬＥＤチップ１３を青色ＬＥＤチップ１２よりも高い位置に実装している点において、上記の実施の形態１とは異なる。その他の構成については実施の形態１において説明したとおりである。
【００６２】
図３は、発光装置１０の概略構成を示す図であって、図３（ａ）は発光装置１０の平面図であり、図３（ｂ）は発光装置１０の側面図である。
【００６３】
なお、図中の青色ＬＥＤチップ１２（第１発光素子）、赤色ＬＥＤチップ１３（第２発光素子）、ツェナーダイオード（ＺＤ）１４、ワイヤ１５、リフレクター１６、端子部を含むリードフレーム１７ａ、凹部を含む一面を有するリードフレーム１７ｂ、端子部を含むリードフレーム１７ｃ、拡散剤を含む封止樹脂１８のそれぞれは、上述した実施の形態１における、青色ＬＥＤチップ２、赤色ＬＥＤチップ３、ツェナーダイオード（ＺＤ）４、ワイヤ５、リフレクター６、端子部を含むリードフレーム７ａ、凹部を含む一面を有するリードフレーム７ｂ、端子部を含むリードフレーム７ｃ、拡散剤を含む封止樹脂８と同じ機能を有するので、ここではその説明を省略する。
【００６４】
上述した実施の形態１においては、青色ＬＥＤチップ２と赤色ＬＥＤチップ３とは、凹部を含む一面を有するリードフレーム７ｂにおける上記凹部内の表面に、例えば、シリコーン系の樹脂を用いてダイボンドしていたが、図３に図示されているように、本実施の形態においては、青色ＬＥＤチップ１２から発された青色光が赤色ＬＥＤチップ１３に吸収されるのを抑えるために、赤色ＬＥＤチップ１３を、凹部を含む一面を有するリードフレーム１７ｂにおけるつば部（段差の上部分）に、例えば、シリコーン系の樹脂を用いてダイボンドし、一方、青色ＬＥＤチップ１２は、上述した実施の形態１と同様に、凹部を含む一面を有するリードフレーム１７ｂにおける上記凹部内に、例えば、シリコーン系の樹脂を用いてダイボンドされている。
【００６５】
なお、本実施の形態においては、青色ＬＥＤチップ１２を、凹部を含む一面を有するリードフレーム１７ｂにおける上記凹部内において、赤色ＬＥＤチップ１３により近い位置にダイボンドしているが、これに限定されることはなく、青色ＬＥＤチップ１２は上記凹部内のどの位置にダイボンドしてもよい。例えば、青色ＬＥＤチップ１２は上述した実施の形態１における青色ＬＥＤチップ２と同じ位置にダイボンドしてもよい。
【００６６】
なお、本実施の形態においては、赤色ＬＥＤチップ１３を青色ＬＥＤチップ１２よりも高い位置に実装している場合を例に挙げて説明したが、これに限定されることはなく、青色ＬＥＤチップ１２を赤色ＬＥＤチップ１３よりも高い位置に実装してもよい。
【００６７】
青色ＬＥＤチップ１２を赤色ＬＥＤチップ１３よりも高い位置に実装した場合においても、青色ＬＥＤチップ１２から発された青色光が赤色ＬＥＤチップ１３に吸収されるのを抑えることができる。
【００６８】
発光装置１０によれば、青色ＬＥＤチップ１２から発された青色光が赤色ＬＥＤチップ１３に吸収されるのを抑えることができ、混合色が白と感じるよりも赤みが強いと感じられ、肉などの赤みが不自然な赤となってしまうのを防止できる。
【００６９】
なお、本実施の形態においても、上述した実施の形態１と同様に、肉やマグロなど赤みの強い色をより鮮やかにするためには、赤色ＬＥＤチップ１３からの出射光は、波長スペクトル上での半値全幅（Full Width at Half Maximum）が３０ｎｍ以下であることが好ましい。
【００７０】
また、本実施の形態においては、肉などの赤みが不自然な赤となることや肉などの赤みが鮮やかに見えなくなるのを防止するためには、青色ＬＥＤチップ１２からの出射光と赤色ＬＥＤチップ１３からの出射光とは、青色ＬＥＤチップ１２からの出射光の放射束を１とした場合、赤色ＬＥＤチップ１３からの出射光の放射束が０．５〜０．９であることが好ましい。
【００７１】
なお、本実施の形態においては、青色ＬＥＤチップ１２と赤色ＬＥＤチップ１３とは直列に接続されているため、青色ＬＥＤチップ１２および赤色ＬＥＤチップ１３の選定の時点で、青色ＬＥＤチップ１２からの出射光の放射束と赤色ＬＥＤチップ１３からの出射光の放射束との比が１：０．５〜０．９の範囲になるように、青色ＬＥＤチップ１２と赤色ＬＥＤチップ１３とを組み合わせる必要がある。
【００７２】
〔実施の形態３〕
次に、図４に基づいて、本発明の実施の形態３について説明する。本実施の形態の発光装置２０においては、青色ＬＥＤチップ２２と赤色ＬＥＤチップ２３とを並列接続し、駆動電流を別々に調整できるようにすることで混合色の色合いを調節する構成となっている点において、上記の実施の形態１および２とは異なる。
【００７３】
図４は、発光装置２０の概略構成を示す図であって、図４（ａ）は発光装置２０の平面図であり、図４（ｂ）は発光装置２０の側面図である。
【００７４】
図示されているように、発光装置２０には、３個以上の組の端子（リードフレーム２７ａ・２７ｂ・２７ｃ・２７ｄ・２７ｅ・２７ｆ）が備えられている。
【００７５】
そして、図４（ａ）および図４（ｂ）に図示されているように、青色ＬＥＤチップ２２はリードフレーム２７ｄの表面に、例えば、シリコーン系の樹脂によってダイボンドされており、青色ＬＥＤチップ２２の一方の端子（例えば負極端子）とリードフレーム２７ａとは、ワイヤ２５によってワイヤボンドされ電気的に接続される。一方、青色ＬＥＤチップ２２の他方の端子（例えば正極端子）とリードフレーム２７ｄとも、ワイヤ２５によってワイヤボンドされ電気的に接続される。
【００７６】
ツェナーダイオード（ＺＤ）２４ａは、リードフレーム２７ａの表面に、例えば、シリコーン系の樹脂によってダイボンドされており、ツェナーダイオード（ＺＤ）２４ａとリードフレーム２７ｄとは、ワイヤ２５によってワイヤボンドされ電気的に接続されている。
【００７７】
それから、赤色ＬＥＤチップ２３はリードフレーム２７ｆの表面に、例えば、シリコーン系の樹脂によってダイボンドされており、赤色ＬＥＤチップ２３の一方の端子（例えば負極端子）とリードフレーム２７ｃとは、ワイヤ２５によってワイヤボンドされ電気的に接続される。一方、赤色ＬＥＤチップ２３の他方の端子（例えば正極端子）とリードフレーム２７ｆとも、ワイヤ２５によってワイヤボンドされ電気的に接続される。
【００７８】
ツェナーダイオード（ＺＤ）２４ｂは、リードフレーム２７ｃの表面に、例えば、シリコーン系の樹脂によってダイボンドされており、ツェナーダイオード（ＺＤ）２４ｂとリードフレーム２７ｆとは、ワイヤ２５によってワイヤボンドされ電気的に接続されている。
【００７９】
なお、リードフレーム２７ａ・２７ｂ・２７ｃ・２７ｄ・２７ｅ・２７ｆは、何れも金属材料からなる。
【００８０】
さらに、発光装置２０は、上述した実施の形態１および２と同様に青色ＬＥＤチップ２２からの出射光と赤色ＬＥＤチップ２３からの出射光とを、反射し、外部に出射させるリフレクター２６を備えている。
【００８１】
以上のように、発光装置２０においては、青色ＬＥＤチップ２２と赤色ＬＥＤチップ２３とは並列接続されており、青色ＬＥＤチップ２２および赤色ＬＥＤチップ２３において、駆動電流を別々に調整できるので、混合色の色合いを調節することができる。
【００８２】
なお、青色ＬＥＤチップ２２および赤色ＬＥＤチップ２３において、駆動電流を別々に調整する場合には、青色ＬＥＤチップ２２からの出射光と赤色ＬＥＤチップ２３からの出射光とを、以下のように調整することが好ましい。
【００８３】
肉などの赤みが不自然な赤となることや肉などの赤みが鮮やかに見えなくなるのを防止するためには、青色ＬＥＤチップ２２からの出射光と赤色ＬＥＤチップ２３からの出射光とは、青色ＬＥＤチップ２２からの出射光の放射束を１とした場合、赤色ＬＥＤチップ２３からの出射光の放射束が０．５〜０．９であることが好ましく、本実施の形態においては、波長４８６ｎｍに発光ピーク強度を有する青色ＬＥＤチップ２２からの出射光の放射束を１とした場合、波長６３６ｎｍに発光ピーク強度を有する赤色ＬＥＤチップ２３からの出射光の放射束が０．７となるようにチップの組合せを行うことが好ましい。
【００８４】
なお、本実施の形態においては、青色ＬＥＤチップ２２と赤色ＬＥＤチップ２３とは並列に接続されているため、上述した実施の形態１および２のように、青色ＬＥＤチップおよび赤色ＬＥＤチップの選定の時点で、青色ＬＥＤチップからの出射光の放射束と赤色ＬＥＤチップからの出射光の放射束との比が正確に１：０．５〜０．９の範囲になるように、青色ＬＥＤチップと赤色ＬＥＤチップとを組み合わせなくても、青色ＬＥＤチップ２２および赤色ＬＥＤチップ２３の駆動電流を別々に調整し、青色ＬＥＤチップ２２からの出射光の放射束と赤色ＬＥＤチップ２３からの出射光の放射束との比が１：０．５〜０．９の範囲になるように調整できる。
【００８５】
青色ＬＥＤチップ２２からの出射光の放射束を１とした場合において、波長６３６ｎｍに発光ピーク強度を有する赤色ＬＥＤチップ２３からの出射光の放射束が０．９より大きくなると、混合色が白と感じるよりも赤みが強いと感じられ、肉などの赤みが不自然な赤となってしまう。
【００８６】
一方、青色ＬＥＤチップ２２からの出射光の放射束を１とした場合において、波長６３６ｎｍに発光ピーク強度を有する赤色ＬＥＤチップ２３からの出射光の放射束が０．５未満になると、混合色が白と感じるよりも青みが強いと感じられ、肉などの赤みが鮮やかに見えない。
【００８７】
なお、本実施の形態においても、上述した実施の形態１および２と同様に、肉やマグロなど赤みの強い色をより鮮やかにするためには、赤色ＬＥＤチップ２３からの出射光は、波長スペクトル上での半値全幅（Full Width at Half Maximum）が３０ｎｍ以下であることが好ましい。
【００８８】
〔まとめ〕
本発明の態様１における発光装置は、第１の波長においての発光強度が最大である光を発する第１発光素子と、上記第１の波長とは異なる第２の波長においての発光強度が最大である光を発する第２発光素子とを備えた発光装置であって、上記第１の波長は４８５ｎｍ〜５００ｎｍの範囲の何れかの値であり、上記第２の波長は６３０ｎｍ〜６６０ｎｍの範囲の何れかの値であり、上記第１発光素子および上記第２発光素子の各々から発せられた光は、何れも波長変換されることなく混合されて外部に出射されることを特徴としている。
【００８９】
上記構成によれば、波長が４８５ｎｍ〜５００ｎｍの範囲の何れかの値で発光強度が最大である光を発する第１発光素子と、波長が６３０ｎｍ〜６６０ｎｍの範囲の何れかの値で発光強度が最大である光を発する第２発光素子と、を備えており、上記第１発光素子および上記第２発光素子の各々から発せられた光は、何れも波長変換されることなく混合されて外部に出射されるようになっている。
【００９０】
波長が４８５ｎｍ〜５００ｎｍの範囲の何れかの値で発光強度が最大である光は、波長５８０ｎｍ付近（例えば、波長５８０ｎｍ〜６００ｎｍ）での発光強度が比較的小さい光となる。
【００９１】
また、波長が６３０ｎｍ〜６６０ｎｍの範囲の何れかの値で発光強度が最大である光も、波長５８０ｎｍ付近（例えば、波長５８０ｎｍ〜６００ｎｍ）での発光強度が比較的小さい光となる。
【００９２】
そして、上記発光装置においては、上記第１発光素子および上記第２発光素子の各々から発せられた光は、何れも波長変換されることなく混合されて外部に出射されるようになっているので、外部に出射される光は波長５８０ｎｍ付近（例えば、波長５８０ｎｍ〜６００ｎｍ）での発光強度が比較的小さい光となる。
【００９３】
したがって、波長５８０ｎｍ付近（例えば、波長５８０ｎｍ〜６００ｎｍ）での発光強度が比較的小さい光を出射する発光装置を実現でき、黄みを抑え、食品を鮮やかに見せることができる。
【００９４】
さらには、上記発光装置は、波長が６３０ｎｍ〜６６０ｎｍの範囲の何れかの値で発光強度が最大である光を発する第２発光素子を備えているので、肉やマグロなど赤みの強い色をより鮮やかにできる。
【００９５】
本発明の態様２における発光装置は、上記第２発光素子から発された光の発光スペクトルの半値全幅が３０ｎｍ以下であることが好ましい。
【００９６】
上記構成によれば、肉やマグロなど赤みの強い色をより鮮やかできる発光装置を実現できる。
【００９７】
本発明の態様３における発光装置は、上記第１発光素子からの出射光の放射束を１とした場合、上記第２発光素子からの出射光の放射束は０．５〜０．９であることが好ましい。
【００９８】
上記構成によれば、肉などの赤みが不自然な赤となることや肉などの赤みが鮮やかに見えなくなるのを防止できる発光装置を実現できる。
【００９９】
本発明の態様４における発光装置は、上記第１発光素子と上記第２発光素子とは、可視光を透過させる樹脂で封止されていることが好ましい。
【０１００】
上記構成によれば、耐久性に優れた発光装置を実現できる。
【０１０１】
本発明の態様５における発光装置は、凹部を含む一面を有するリードフレームを備えており、上記第１発光素子と上記第２発光素子とは、上記凹部を含む一面に備えられていることが好ましい。
【０１０２】
上記構成によれば、凹部を含む一面を有するリードフレームを用いているので、上記第１発光素子と上記第２発光素子とを上記凹部内に設けた場合には、上記第１発光素子からの出射光と上記第２発光素子からの出射光との混色性を向上させることができる。
【０１０３】
また、上記第１発光素子および上記第２発光素子の一方を上記凹部内に設け、上記第１発光素子および上記第２発光素子の他方を上記凹部を含む一面における上記凹部外に設けた場合には、上記第１発光素子から発された光が上記第２発光素子に吸収されるのを抑えることができ、混合色が白と感じるよりも赤みが強いと感じられ、肉などの赤みが不自然な赤となってしまうのを防止できる。
【０１０４】
本発明の態様６における発光装置における、上記可視光を透過させる樹脂には、拡散剤が含まれていることが好ましい。
【０１０５】
上記構成によれば、より均一な光を出射できる発光装置を実現できる。
【０１０６】
本発明の態様７における発光装置においては、上記第１発光素子と上記第２発光素子とは、上記凹部を含む一面を有するリードフレームにおける上記凹部内に設けられていることが好ましい。
【０１０７】
上記構成によれば、上記第１発光素子と上記第２発光素子とを上記凹部内に設けているので、上記第１発光素子からの出射光と上記第２発光素子からの出射光との混色性を向上させることができる。
【０１０８】
本発明の態様８における発光装置においては、上記第１発光素子および上記第２発光素子の一方は、上記凹部を含む一面を有するリードフレームにおける上記凹部内に設けられており、上記第１発光素子および上記第２発光素子の他方は、上記凹部を含む一面における上記凹部外に設けられていることが好ましい。
【０１０９】
上記構成によれば、上記第１発光素子から発された光が上記第２発光素子に吸収されるのを抑えることができ、混合色が白と感じるよりも赤みが強いと感じられ、肉などの赤みが不自然な赤となってしまうのを防止できる。
【０１１０】
本発明の態様９における発光装置においては、上記第１発光素子と上記第２発光素子とは、直列で電気的に接続されていることが好ましい。
【０１１１】
上記構成によれば、上記第１発光素子と上記第２発光素子とは直列接続されているので、一つの駆動電流で上記第１発光素子と上記第２発光素子とを制御できるというメリットを有する。
【０１１２】
本発明の態様１０における発光装置においては、上記第１発光素子と上記第２発光素子とは、並列で電気的に接続されていることが好ましい。
【０１１３】
上記構成によれば、上記第１発光素子と上記第２発光素子とは並列接続されているので、上記第１発光素子と上記第２発光素子とにおいて、駆動電流を別々に調整できるので、混合色の色合いを調節することができる。
【０１１４】
本発明の態様１１の照明器具は、一つ以上の上記発光装置を備えている。
【０１１５】
上記構成によれば、波長５８０ｎｍ付近（例えば、波長５８０ｎｍ〜６００ｎｍ）での発光強度が比較的小さい光を出射する照明器具を実現できる。
【０１１６】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１７】
本発明は、発光装置および発光装置を備えた照明器具に好適に利用することができる。
【符号の説明】
【０１１８】
１      発光装置
２      青色ＬＥＤチップ（第１発光素子）
３      赤色ＬＥＤチップ（第２発光素子）
４      ツェナーダイオード（ＺＤ）
５      ワイヤ
６      リフレクター
７ａ    リードフレーム（端子部を含むリードフレーム）
７ｂ    リードフレーム（凹部を含む一面を有するリードフレーム）
７ｃ    リードフレーム（端子部を含むリードフレーム）
８      封止樹脂（可視光を透過させる樹脂）
１０    発光装置
１２    青色ＬＥＤチップ（第１発光素子）
１３    赤色ＬＥＤチップ（第２発光素子）
１４    ツェナーダイオード（ＺＤ）
１５    ワイヤ
１６    リフレクター
１７ａ  リードフレーム（端子部を含むリードフレーム）
１７ｂ  リードフレーム（凹部を含む一面を有するリードフレーム）
１７ｃ  リードフレーム（端子部を含むリードフレーム）
１８    封止樹脂（可視光を透過させる樹脂）
２０    発光装置
２２    青色ＬＥＤチップ（第１発光素子）
２３    赤色ＬＥＤチップ（第２発光素子）
２４ａ  ツェナーダイオード（ＺＤ）
２４ｂ  ツェナーダイオード（ＺＤ）
２５    ワイヤ
２６    リフレクター
２７ａ  リードフレーム（端子部を含むリードフレーム）
２７ｂ  リードフレーム（端子部を含むリードフレーム）
２７ｃ  リードフレーム（端子部を含むリードフレーム）
２７ｄ  リードフレーム（端子部を含むリードフレーム）
２７ｅ  リードフレーム（端子部を含むリードフレーム）
２７ｆ  リードフレーム（端子部を含むリードフレーム）
２８    封止樹脂（可視光を透過させる樹脂）
【図１】
2015198119.tif 000003
【図２】
2015198119.tif 000004
【図３】
2015198119.tif 000005
【図４】
2015198119.tif 000006
【図５】
2015198119.tif 000007
【図６】
2015198119.tif 000008